(57)【要約】【課題】  携帯端末でコンテンツを再生中にコンテンツデータを保管する保管サーバがコンテンツデータを携帯端末外の記憶手段に転送することにより、元の品質のままのコンテンツデータを携帯端末の記憶容量を気にせずに保管できるようにすること。【解決手段】  携帯端末１０Ａは、保管サーバ２０Ａにアクセスしてコンテンツデータを取得して再生するとともに、再生したコンテンツデータの指定情報と記憶サーバ３０のアドレス情報と利用者ＩＤとを含む転送要求を保管サーバ２０Ａに送り、保管サーバ２０Ａは携帯端末１０Ａから転送要求を受けると、指定されたコンテンツデータを利用者ＩＤとともに指定された記憶サーバ３０に転送し、記憶サーバ３０は、保管サーバ２０Ａからコンテンツデータが転送されると該当する利用者ＩＤの利用者記憶域３３にコンテンツデータを格納する。【選択図】      図１
2005275675.tif 000002
【特許請求の範囲】
【請求項１】
利用者が使用する携帯端末と電子化されたコンテンツデータを保管する保管サーバとコンテンツデータを格納する記憶サーバとがネットワークで接続されるコンテンツデータの転送システムであって、
前記携帯端末は、前記保管サーバにアクセスしてコンテンツデータを取得して再生するとともに、再生したコンテンツデータの指定情報と記憶サーバのアドレス情報と利用者識別情報とを含む転送要求を保管サーバに送り、
前記保管サーバは、携帯端末から転送要求を受けると、指定されたコンテンツデータを受け取った利用者識別情報とともに指定された記憶サーバに転送し、
前記記憶サーバは、前記保管サーバからコンテンツデータが転送されると利用者識別情報と関連づけられた記憶領域に転送されたコンテンツデータを格納することを特徴とする転送システム。
【請求項２】
利用者が使用する携帯端末と電子化されたコンテンツデータを保管する保管サーバとコンテンツデータを格納する記憶サーバとがネットワークで接続されるコンテンツデータの転送システムであって、
前記携帯端末は、前記保管サーバにアクセスしてコンテンツデータを取得して再生するとともに、再生したコンテンツデータの指定情報と記憶サーバのアドレス情報と利用者識別情報とを含む転送要求を保管サーバに送り、
前記保管サーバは、携帯端末から転送要求を受け取ると、指定されたコンテンツデータを受け取った利用者識別情報とともに指定された記憶サーバに転送し、
前記記憶サーバは、利用者毎に設けられた記憶領域である利用者記憶域と、利用者毎に利用者識別情報と前記利用者記憶域とを対応させる情報を保持する利用者情報保持部を有し、前記保管サーバからコンテンツデータと利用者識別情報を受け取ると利用者情報保持部を参照して受け取った利用者識別情報に該当する利用者記憶域に受け取ったコンテンツデータを格納することを特徴とする転送システム。
【請求項３】
前記携帯端末は、前記記憶サーバのアドレスを保持するアドレス保持部を有し、前記保管サーバへ前記転送要求をする際に利用者の操作に従って前記アドレス保持部から前記記憶サーバのアドレスを読み出して転送要求とともに送ることを特徴とする請求項１又は２の転送システム。
【請求項４】
利用者が使用する携帯端末と電子化されたコンテンツデータを保管する保管サーバとコンテンツデータを格納する記憶サーバとがネットワークで接続されるコンテンツデータの転送システムであって、
前記携帯端末は、前記保管サーバにアクセスしてコンテンツデータを取得して再生するとともに、再生したコンテンツデータの指定情報とログインに使用されるログイン識別情報とを含む転送要求を保管サーバに送り、
前記保管サーバは、ログイン識別情報と記憶サーバのアドレス情報と記憶サーバで使用される利用者識別情報を利用者毎に保持する転送制御情報保持部を有し、携帯端末から転送要求を受け取ると、要求されたログイン識別情報により転送制御情報保持部から記憶サーバのアドレス情報と利用者識別情報を読み出して指定されたコンテンツデータを利用者識別情報とともに転送し、
前記記憶サーバは、利用者毎に設けられた記憶領域である利用者記憶域と、利用者毎に前記利用者識別情報と前記利用者記憶域とを対応させる情報を保持する利用者情報保持部を有し、前記保管サーバからコンテンツデータと利用者識別情報を受け取ると利用者情報保持部を参照して受け取った利用者識別情報に対応する利用者記憶域に受け取ったコンテンツデータを格納することを特徴とする転送システム。
【請求項５】
前記利用者記憶域に格納されたコンテンツデータは前記ネットワークに接続し前記携帯端末とは異なる利用者端末から前記利用者識別情報を伴う要求により読み出しが可能なことを特徴とする請求項１、２、３、又は４の転送システム。
【請求項６】
前記利用者端末は前記携帯端末に比べてコンテンツデータを表示又は再生するための画質又は再生性能が高いことを特徴とする請求項５の転送システム。
【請求項７】
利用者が使用する携帯端末と電子化されたコンテンツデータを保管する保管サーバとがネットワークで接続されるコンテンツデータの転送システムであって、
前記携帯端末は、前記保管サーバにアクセスしてコンテンツデータを取得して再生するとともに、再生したコンテンツデータの指定情報とメールの送信先アドレスを含むメール送信要求を保管サーバに送り、
前記保管サーバは、携帯端末からメール送信要求を受け取ると指定されたコンテンツデータを電子メールに組み込み、要求された送信先アドレスへ送信することを特徴とする転送システム。
【請求項８】
利用者が使用する携帯端末と電子化されたコンテンツデータを保管する保管サーバとがネットワークで接続されるコンテンツデータの転送システムであって、
前記携帯端末は、前記保管サーバにアクセスしてコンテンツデータを取得して再生するとともに、再生したコンテンツデータの指定情報とログインに使用されるログイン識別情報とメール送信先の指定情報を含むメール送信要求を保管サーバに送り、
前記保管サーバは、ログイン識別情報と電子メールの送信先アドレスとを利用者毎に保持するメール制御情報保持部を有し、携帯端末からメール送信要求を受け取ると指定されたコンテンツデータを電子メールに組み込み、ログイン識別情報とメール送信先の指定情報により転送制御情報保持部から読み出した送信先アドレスへ送信することを特徴とする転送システム。
【請求項９】
電子化されたコンテンツデータを保持するコンテンツ保持部と、ログインに使用されるログイン識別情報とコンテンツデータを利用者識別情報毎に設けた利用者記憶域に格納する記憶サーバのアドレス情報と記憶サーバで使用される利用者識別情報とを利用者毎に保持する転送制御情報保持部を有し、
ネットワークで接続する携帯端末からコンテンツデータの指定情報とログイン識別情報とを含む転送要求を受け取ると、受け取ったログイン識別情報により転送制御情報保持部から記憶サーバのアドレスと利用者識別情報を読み出し、受け取った指定情報によりコンテンツ保持部から読み出したコンテンツデータとともに読み出された利用者識別情報を読み出された転送先の記憶サーバへ転送することを特徴とする保管サーバ。
【請求項１０】
電子化されたコンテンツデータを保持するコンテンツ保持部と、ログインに使用されるログイン識別情報と電子メールの送信先アドレスとを利用者毎に保持するメール制御情報保持部を有し、
ネットワークで接続される携帯端末からコンテンツデータの指定情報とログイン識別情報とメール送信先の指定情報を含むメール送信要求を受け取ると、
受け取った指定情報によりコンテンツ保持部から読み出したコンテンツデータを電子メールに組み込み、受け取ったログイン識別情報とメール送信先の指定情報により転送制御情報保持部から読み出した送信先のアドレスへコンテンツデータが組み込まれた電子メールを送信することを特徴とする保管サーバ。
【請求項１１】
携帯端末が保管サーバにアクセスして電子化されたコンテンツデータを取得して再生し、携帯端末が再生したコンテンツデータを転送する先の記憶サーバのアドレスと利用者識別情報を保管サーバに送り、保管サーバが携帯端末で再生したコンテンツデータと送られた利用者識別情報とを転送先の記憶サーバに転送し、記憶サーバが転送されたコンテンツデータを予め利用者識別情報毎に設けられた記憶域に格納することを特徴とする転送方法。
【請求項１２】
利用者が使用する携帯端末は、電子化されたコンテンツデータを保管する保管サーバにアクセスしてコンテンツデータを取得して再生するとともに、再生したコンテンツデータの指定情報と記憶サーバのアドレス情報と利用者識別情報とを含む転送要求を保管サーバに送り、
保管サーバは、携帯端末から転送要求を受け取ると、指定されたコンテンツデータを受け取った利用者識別情報とともに指定された記憶サーバに格納要求として送り、
記憶サーバは、保管サーバから格納要求を受け取ると、該当する利用者識別情報毎に設けられた利用者記憶域に受け取ったコンテンツデータを格納することを特徴とする転送方法。
【請求項１３】
利用者が使用する携帯端末は、電子化されたコンテンツデータを保管する保管サーバにアクセスしてコンテンツデータを取得して再生するとともに、再生したコンテンツデータの指定情報とログインに使用されるログイン識別情報とを含むログイン要求を保管サーバに送り、
保管サーバは、ログイン要求を受け取ると、ログイン識別情報と記憶サーバのアドレス情報と記憶サーバで使用される利用者識別情報とを利用者毎に保持する転送制御情報保持部を受け取ったログイン識別情報により読み出し、読み出した利用者識別情報を指定されたコンテンツデータとともに格納要求として読み出した記憶サーバへ転送し、
記憶サーバは、前記保管サーバから格納要求を受け取ると、該当する利用者識別情報毎に設けられた利用者記憶域に受け取ったコンテンツデータを格納することを特徴とする転送方法。
【請求項１４】
利用者が使用する携帯端末は、電子化されたコンテンツデータを保管する保管サーバにアクセスしてコンテンツデータを取得して再生するとともに、再生したコンテンツデータの指定情報とメールの送信先アドレスを含むメール送信要求を保管サーバに送り、
前記保管サーバは、携帯端末からメール送信要求を受け取ると指定されたコンテンツデータを電子メールに組み込み、受け取った送信先アドレスへ送信することを特徴とする転送方法。
【請求項１５】
利用者が使用する携帯端末は、電子化されたコンテンツデータを保管する保管サーバにアクセスしてコンテンツデータを取得して再生するとともに、再生したコンテンツデータの指定情報とログインに使用されるログイン識別情報とメール送信先の指定情報を含むメール送信要求を保管サーバに送り、
前記保管サーバは、メール送信要求を受け取ると指定されたコンテンツデータを電子メールに組み込み、ログイン識別情報と電子メールの送信先アドレスとを利用者毎に保持するメール制御情報保持部を読み出してコンテンツデータを組み込んだ電子メールを送信することを特徴とする転送方法。
【請求項１６】
携帯端末が保管サーバにアクセスして電子化されたコンテンツデータを取得して再生する手順と、携帯端末が再生したコンテンツデータを転送する先の記憶サーバのアドレスと利用者識別情報を保管サーバに送る手順と、保管サーバが再生したコンテンツデータと送られた利用者識別情報とを転送先の記憶サーバに転送る手順と、記憶サーバが転送されたコンテンツデータを予め利用者識別情報毎に設けられた記憶域に格納する手順とをコンピュータに実行させることを特徴とするプログラム。
【請求項１７】
ネットワークで接続する携帯端末からコンテンツデータの指定情報とログイン識別情報とを含む転送要求を受け取ると、ログイン識別情報とコンテンツデータを利用者識別情報毎に設けた利用者記憶域に格納する記憶サーバのアドレス情報と記憶サーバで使用される利用者識別情報とを利用者毎に保持する転送制御情報保持部を受け付けたログイン識別情報で読み出す手順と、指定されたコンテンツデータを読み出された利用者識別情報とともに読み出された記憶サーバへ転送する手順とをコンピュータに実行させることを特徴とするプログラム。
【請求項１８】
ネットワークで接続される携帯端末からコンテンツデータの指定情報とログイン識別情報とメール送信先の指定情報を含むメール送信要求を受け取ると、指定されたコンテンツデータを電子メールに組み込む手順と、ログイン識別情報と電子メールの送信先アドレスとを利用者毎に保持するメール制御情報保持部を受け取ったログイン識別情報で読み出した送信先アドレスへコンテンツデータを組み込んだ電子メールを送信する手順とをコンピュータに実行させることを特徴とするプログラム。
【発明の詳細な説明】
【技術分野】
【０００１】
本発明はコンテンツデータの転送システム、保管サーバ、転送方法、及びプログラムに関し、特に、表示・再生性能の劣る携帯端末でアクセスした画像・音楽等のコンテンツデータをより高い表示・再生性能の環境で表示・再生可能とする技術に関する。
【背景技術】
【０００２】
携帯電話やＰＤＡ（personal digital assistant）のように電子メール機能やインターネットアクセス機能やカメラ機能を備えた携帯端末を利用していつでもどこでも画像の撮影や閲覧・再生が可能になっている。画像の他に映像や音楽等のコンテンツを再生して視聴することも可能である。
【０００３】
携帯端末は携帯可能とすることにより利用者がどこでも使用できるという利点がある一方で、携帯性からその大きさは制限されてしまうという欠点もある。例えば携帯電話で表示画面のサイズを大きくすると携帯性が損なわれてしまう。このため、表示画面は小型となり、本来の画像データの画質を十分再生することができず画質を低下させて表示することになる。また、大きなスピーカや高性能な音再生用の回路を実装することもできないので、音楽等の音データも元のコンテンツデータのもつ品質を低下させて再生することになる。
【０００４】
従って、元の品質でコンテンツを楽しむためには、携帯端末にコンテンツデータを一時的に保持し、利用者が別途所有するパーソナルコンピュータ（ＰＣと略す）のようにより大きな表示画面やより高い再生性能を持つ利用者装置にコンテンツデータを移す必要がある。
【０００５】
特開２０００−１１５２５３号公報の発明では、携帯端末で受信した情報が小さい場合は携帯端末に保持して表示し、大きい場合は利用者が同時に携帯しているノート型ＰＣに転送して保持することにより、携帯端末の記憶容量の不足を補完する技術が示されている。
【０００６】
【特許文献１】特開２０００−１１５２５３号公報  図１
【発明の開示】
【発明が解決しようとする課題】
【０００７】
携帯端末は表示装置の解像度が低く再生性能も低く記憶容量も小さいために画像を表示しても低精細なものになってしまい、高詳細の利用者装置に表示しようとして携帯端末に保持すると記憶容量が不足して、新たなコンテンツデータを処理したり保持したりするのに不都合が発生してしまう。
【０００８】
これを回避するためには、コンテンツデータの保管場所（インターネットではＵＲＬ（uniform resource locator））を記憶しておき、別途高性能の利用者端末からアクセスし直すという作業が必要となる。この場合、画像は何時までも開示されているとは限らず、時間をおくと削除されてしまう危険性がある。従って、携帯端末のアクセスと間を置かず取得しておき機会を逃さないようにするのが望ましい。
【０００９】
これを実現したものとして特開２０００−１１５２５３号公報の発明があるが、利用者がノート型ＰＣを携帯し携帯端末で処理しきれない情報をノート型ＰＣに転送するという方法は携帯端末の利便性が大きく損なわれてしまう。また、コンテンツデータの供給元が要求元の性能を考慮して画質等の品質を落としたデータを供給する場合は、携帯端末では元の品質のコンテンツデータを受信できないので、特開２０００−１１５２５３号公報の発明では詳細な品質のコンテンツデータを得ることができない。
【００１０】
本発明の目的は、携帯端末でコンテンツを閲覧・再生中にコンテンツデータを保管する保管サーバがコンテンツデータを携帯端末外の記憶手段に転送することにより、元の品質のままのコンテンツデータを携帯端末の記憶容量を気にせずに保管できるようにしたコンテンツデータの転送システム、転送方法、保管サーバ、及びプログラムを提供することにある。
【課題を解決するための手段】
【００１１】
本発明の第１の転送システムは、利用者が使用する携帯端末と電子化されたコンテンツデータを保管する保管サーバとコンテンツデータを格納する記憶サーバとがネットワークで接続されるコンテンツデータの転送システムであって、
前記携帯端末は、前記保管サーバにアクセスしてコンテンツデータを取得して再生するとともに、再生したコンテンツデータの指定情報と記憶サーバのアドレス情報と利用者識別情報とを含む転送要求を保管サーバに送り、
前記保管サーバは、携帯端末から転送要求を受けると、指定されたコンテンツデータを受け取った利用者識別情報とともに指定された記憶サーバに転送し、
前記記憶サーバは、前記保管サーバからコンテンツデータが転送されると利用者識別情報と関連づけられた記憶領域に転送されたコンテンツデータを格納することを特徴とする。
【００１２】
本発明の第２の転送システムは、利用者が使用する携帯端末と電子化されたコンテンツデータを保管する保管サーバとコンテンツデータを格納する記憶サーバとがネットワークで接続されるコンテンツデータの転送システムであって、
前記携帯端末は、前記保管サーバにアクセスしてコンテンツデータを取得して再生するとともに、再生したコンテンツデータの指定情報と記憶サーバのアドレス情報と利用者識別情報とを含む転送要求を保管サーバに送り、
前記保管サーバは、携帯端末から転送要求を受け取ると、指定されたコンテンツデータを受け取った利用者識別情報とともに指定された記憶サーバに転送し、
前記記憶サーバは、利用者毎に設けられた記憶領域である利用者記憶域と、利用者毎に利用者識別情報と前記利用者記憶域とを対応させる情報を保持する利用者情報保持部を有し、前記保管サーバからコンテンツデータと利用者識別情報を受け取ると利用者情報保持部を参照して受け取った利用者識別情報に該当する利用者記憶域に受け取ったコンテンツデータを格納することを特徴とする。
【００１３】
本発明の第３の転送システムは、本発明の第１又は第２の転送システムにおいて、前記携帯端末は、前記記憶サーバのアドレスを保持するアドレス保持部を有し、前記保管サーバへ前記転送要求をする際に利用者の操作に従って前記アドレス保持部から前記記憶サーバのアドレスを読み出して転送要求とともに送ることを特徴とする。
【００１４】
本発明の第４の転送システムは、利用者が使用する携帯端末と電子化されたコンテンツデータを保管する保管サーバとコンテンツデータを格納する記憶サーバとがネットワークで接続されるコンテンツデータの転送システムであって、
前記携帯端末は、前記保管サーバにアクセスしてコンテンツデータを取得して再生するとともに、再生したコンテンツデータの指定情報とログインに使用されるログイン識別情報とを含む転送要求を保管サーバに送り、
前記保管サーバは、ログイン識別情報と記憶サーバのアドレス情報と記憶サーバで使用される利用者識別情報を利用者毎に保持する転送制御情報保持部を有し、携帯端末から転送要求を受け取ると、要求されたログイン識別情報により転送制御情報保持部から記憶サーバのアドレス情報と利用者識別情報を読み出して指定されたコンテンツデータを利用者識別情報とともに転送し、
前記記憶サーバは、利用者毎に設けられた記憶領域である利用者記憶域と、利用者毎に前記利用者識別情報と前記利用者記憶域とを対応させる情報を保持する利用者情報保持部を有し、前記保管サーバからコンテンツデータと利用者識別情報を受け取ると利用者情報保持部を参照して受け取った利用者識別情報に対応する利用者記憶域に受け取ったコンテンツデータを格納することを特徴とする。
【００１５】
本発明の第５の転送システムは、本発明の第１、第２、第３、又は第４の転送システムにおいて、前記利用者記憶域に格納されたコンテンツデータは前記ネットワークに接続し前記携帯端末とは異なる利用者端末から前記利用者識別情報を伴う要求により読み出しが可能なことを特徴とする。
【００１６】
本発明の第６の転送システムは、本発明の第５の転送システムにおいて、前記利用者端末は前記携帯端末に比べてコンテンツデータを表示又は再生するための画質又は再生性能が高いことを特徴とする。
【００１７】
本発明の第７の転送システムは、利用者が使用する携帯端末と電子化されたコンテンツデータを保管する保管サーバとがネットワークで接続されるコンテンツデータの転送システムであって、
前記携帯端末は、前記保管サーバにアクセスしてコンテンツデータを取得して再生するとともに、再生したコンテンツデータの指定情報とメールの送信先アドレスを含むメール送信要求を保管サーバに送り、
前記保管サーバは、携帯端末からメール送信要求を受け取ると指定されたコンテンツデータを電子メールに組み込み、要求された送信先アドレスへ送信することを特徴とする。
【００１８】
本発明の第８の転送システムは、利用者が使用する携帯端末と電子化されたコンテンツデータを保管する保管サーバとがネットワークで接続されるコンテンツデータの転送システムであって、
前記携帯端末は、前記保管サーバにアクセスしてコンテンツデータを取得して再生するとともに、再生したコンテンツデータの指定情報とログインに使用されるログイン識別情報とメール送信先の指定情報を含むメール送信要求を保管サーバに送り、
前記保管サーバは、ログイン識別情報と電子メールの送信先アドレスとを利用者毎に保持するメール制御情報保持部を有し、携帯端末からメール送信要求を受け取ると指定されたコンテンツデータを電子メールに組み込み、ログイン識別情報とメール送信先の指定情報により転送制御情報保持部から読み出した送信先アドレスへ送信することを特徴とする。
【００１９】
本発明の第１の保管サーバは、電子化されたコンテンツデータを保持するコンテンツ保持部と、ログインに使用されるログイン識別情報とコンテンツデータを利用者識別情報毎に設けた利用者記憶域に格納する記憶サーバのアドレス情報と記憶サーバで使用される利用者識別情報とを利用者毎に保持する転送制御情報保持部を有し、
ネットワークで接続する携帯端末からコンテンツデータの指定情報とログイン識別情報とを含む転送要求を受け取ると、受け取ったログイン識別情報により転送制御情報保持部から記憶サーバのアドレスと利用者識別情報を読み出し、受け取った指定情報によりコンテンツ保持部から読み出したコンテンツデータとともに読み出された利用者識別情報を読み出された転送先の記憶サーバへ転送することを特徴とする。
【００２０】
本発明の第２の保管サーバは、電子化されたコンテンツデータを保持するコンテンツ保持部と、ログインに使用されるログイン識別情報と電子メールの送信先アドレスとを利用者毎に保持するメール制御情報保持部を有し、
ネットワークで接続される携帯端末からコンテンツデータの指定情報とログイン識別情報とメール送信先の指定情報を含むメール送信要求を受け取ると、
受け取った指定情報によりコンテンツ保持部から読み出したコンテンツデータを電子メールに組み込み、受け取ったログイン識別情報とメール送信先の指定情報により転送制御情報保持部から読み出した送信先のアドレスへコンテンツデータが組み込まれた電子メールを送信することを特徴とする。
【００２１】
本発明の第１の転送方法は、携帯端末が保管サーバにアクセスして電子化されたコンテンツデータを取得して再生し、携帯端末が再生したコンテンツデータを転送する先の記憶サーバのアドレスと利用者識別情報を保管サーバに送り、保管サーバが携帯端末で再生したコンテンツデータと送られた利用者識別情報とを転送先の記憶サーバに転送し、記憶サーバが転送されたコンテンツデータを予め利用者識別情報毎に設けられた記憶域に格納することを特徴とする。
【００２２】
本発明の第２の転送方法は、利用者が使用する携帯端末は、電子化されたコンテンツデータを保管する保管サーバにアクセスしてコンテンツデータを取得して再生するとともに、再生したコンテンツデータの指定情報と記憶サーバのアドレス情報と利用者識別情報とを含む転送要求を保管サーバに送り、
保管サーバは、携帯端末から転送要求を受け取ると、指定されたコンテンツデータを受け取った利用者識別情報とともに指定された記憶サーバに格納要求として送り、
記憶サーバは、保管サーバから格納要求を受け取ると、該当する利用者識別情報毎に設けられた利用者記憶域に受け取ったコンテンツデータを格納することを特徴とする。
【００２３】
本発明の第３の転送方法は、利用者が使用する携帯端末は、電子化されたコンテンツデータを保管する保管サーバにアクセスしてコンテンツデータを取得して再生するとともに、再生したコンテンツデータの指定情報とログインに使用されるログイン識別情報とを含むログイン要求を保管サーバに送り、
保管サーバは、ログイン要求を受け取ると、ログイン識別情報と記憶サーバのアドレス情報と記憶サーバで使用される利用者識別情報とを利用者毎に保持する転送制御情報保持部を受け取ったログイン識別情報により読み出し、読み出した利用者識別情報を指定されたコンテンツデータとともに格納要求として読み出した記憶サーバへ転送し、
記憶サーバは、前記保管サーバから格納要求を受け取ると、該当する利用者識別情報毎に設けられた利用者記憶域に受け取ったコンテンツデータを格納することを特徴とする。
【００２４】
本発明の第４の転送方法は、利用者が使用する携帯端末は、電子化されたコンテンツデータを保管する保管サーバにアクセスしてコンテンツデータを取得して再生するとともに、再生したコンテンツデータの指定情報とメールの送信先アドレスを含むメール送信要求を保管サーバに送り、
前記保管サーバは、携帯端末からメール送信要求を受け取ると指定されたコンテンツデータを電子メールに組み込み、受け取った送信先アドレスへ送信することを特徴とする。
【００２５】
本発明の第５の転送方法は、利用者が使用する携帯端末は、電子化されたコンテンツデータを保管する保管サーバにアクセスしてコンテンツデータを取得して再生するとともに、再生したコンテンツデータの指定情報とログインに使用されるログイン識別情報とメール送信先の指定情報を含むメール送信要求を保管サーバに送り、
前記保管サーバは、メール送信要求を受け取ると指定されたコンテンツデータを電子メールに組み込み、ログイン識別情報と電子メールの送信先アドレスとを利用者毎に保持するメール制御情報保持部を読み出してコンテンツデータを組み込んだ電子メールを送信することを特徴とする。
【００２６】
本発明の第１のプログラムは、携帯端末が保管サーバにアクセスして電子化されたコンテンツデータを取得して再生する手順と、携帯端末が再生したコンテンツデータを転送する先の記憶サーバのアドレスと利用者識別情報を保管サーバに送る手順と、保管サーバが再生したコンテンツデータと送られた利用者識別情報とを転送先の記憶サーバに転送る手順と、記憶サーバが転送されたコンテンツデータを予め利用者識別情報毎に設けられた記憶域に格納する手順とをコンピュータに実行させることを特徴とする。
【００２７】
本発明の第２のプログラムは、ネットワークで接続する携帯端末からコンテンツデータの指定情報とログイン識別情報とを含む転送要求を受け取ると、ログイン識別情報とコンテンツデータを利用者識別情報毎に設けた利用者記憶域に格納する記憶サーバのアドレス情報と記憶サーバで使用される利用者識別情報とを利用者毎に保持する転送制御情報保持部を受け付けたログイン識別情報で読み出す手順と、指定されたコンテンツデータを読み出された利用者識別情報とともに読み出された記憶サーバへ転送する手順とをコンピュータに実行させることを特徴とする。
【００２８】
本発明の第３のプログラムは、ネットワークで接続される携帯端末からコンテンツデータの指定情報とログイン識別情報とメール送信先の指定情報を含むメール送信要求を受け取ると、指定されたコンテンツデータを電子メールに組み込む手順と、ログイン識別情報と電子メールの送信先アドレスとを利用者毎に保持するメール制御情報保持部を受け取ったログイン識別情報で読み出した送信先アドレスへコンテンツデータを組み込んだ電子メールを送信する手順とをコンピュータに実行させることを特徴とする。
【発明の効果】
【００２９】
携帯端末でコンテンツを閲覧中にコンテンツデータを保管する保管サーバがコンテンツデータを携帯端末外の予め確保された記憶手段に転送することにより、いつでもどこでも携帯端末により様々なコンテンツを閲覧・視聴し気に入ったコンテンツデータのみを携帯端末の記憶容量に関係なく品質を落とさずに保管できるという効果がある。従って、利用者は機会を逃すことなく確実に元のままの品質でコンテンツデータを取得できる。
【発明を実施するための最良の形態】
【００３０】
次に、本発明を実施するための最良の形態について図面を参照して詳細に説明する。図１は本発明の第１の形態のシステム構成を示したブロック図である。図１の本発明のシステムは、利用者が使用する携帯端末１０Ａ及び利用者端末４０と、画像や映像や音楽等のコンテンツデータを保管する保管サーバ２０Ａと、記憶サーバ３０と、これらを接続するネットワーク４９とを含む。
【００３１】
図１では、携帯端末１０Ａと利用者端末４０はそれぞれ１つだけ接続するが、接続数を限定するものではなく利用者の数だけ接続される。また、図１では保管サーバ２０Ａも記憶サーバ３０もそれぞれ１つ示しているが複数接続するようにしてもよい。保管サーバ２０Ａがそれぞれ特徴のあるコンテンツデータを保持して多数接続されれば利用者は多数のコンテンツデータを利用することができる。また、記憶サーバ３０も地域毎に分散して設置すれば利用者が最も通信費の安価な記憶サーバ３０を利用できるようになるし、記憶サーバ３０による記憶域の提供サービスを複数の業者が提供し、それぞれの業者が記憶サーバ３０を設置するようにしてもよい。
【００３２】
以降の説明（本発明の第２の形態以降も含む）ではコンテンツデータとして画像を例に説明するが、画像以外のコンテンツデータについても本発明が同様に適用できることは明らかである。画像以外のコンテンツデータとは、例えば、動画像、映画等の音を含む映像、音楽等の音データであり、ＨＴＭＬ（hypertext markup language）のような言語で書かれた画像や音を含む文書等も含む。
【００３３】
利用者端末４０は、利用者が使用可能なパーソナルコンピュータのような情報処理装置であり、図示しないが携帯端末１０Ａに比べて表示部の表示画面が大きく、記憶部の記憶容量が大きく、一般の電話回線での通信が可能で通信コストが低く、再生処理能力が携帯端末１０Ａに比べて高いという特性を持つが、携帯するには適さない情報処理装置である。図示しないが、利用者端末４０はＣＰＵや記憶手段や通信手段を有し、画像の取得や表示等の処理を実行する。
【００３４】
なお、携帯端末１０Ａを利用者端末４０として利用してもかまわないが、その場合、記憶サーバ３０から取得したコンテンツデータは即座に記録媒体等に移行して保管し、高性能の再生装置で再生する利用方法等もある。
【００３５】
ネットワーク４９は、インターネット、一般電話回線網、無線電話回線網、ＬＡＮ（local area network）等の様々な通信網の集合体であり、その内部構成は図示しないが、図１に示した各装置間での通信が可能となっている。
【００３６】
携帯端末１０Ａは、利用者が携帯して使用する携帯電話やＰＤＡのような携帯型の情報処理装置であり、インターネット等のネットワーク４９にアクセスして保管サーバ２０Ａのようなサーバから画像を取得し、表示・再生する機能を有する。携帯端末１０は図示しないがＣＰＵや入力手段を有してプログラムを実行したりデータを入力したりする機能を持ち、文字や画像を画面に表示する表示部１２と、データやプログラムを保持する記憶部１３と、ネットワーク４９へのアクセスや画像の取得・表示、画像の転送要求等をプログラムによって実行する携帯制御部１１Ａを持っている。表示部１２の表示画面は通常小さく作りやすい液晶画面であるが、別のものでもよい。また、記憶部１３は、高速なアクセスが可能な揮発性の半導体素子（例えばＤＲＡＭ）や不揮発性の半導体メモリ（例えばフラッシュメモリ）を組み合わせて構成されるが、超小型の磁気メモリ（磁気ディスク装置）を組み合わせてもよい。
【００３７】
また、携帯端末１０Ａは、携帯可能とするために大きさが制限されるため利用者端末４０に比べて、表示部１２の表示画面が小さくて解像度も低く、記憶部１３の記憶容量が小さいため多くの画像を保持することができず、無線通信となるため現状では通信コストが高いという特性を持つ。このため、携帯端末１０Ａは利用者端末４０と比べて高詳細の画像を取得したり保持したり表示するのに適していない。
【００３８】
保管サーバ２０Ａは、図示しないがＣＰＵや記憶手段や通信手段を持ちプログラムを実行したりネットワーク４９を介して他の装置と通信できる情報処理装置であり、通常、多くのコンテンツデータを保持するために大きな記憶容量を持つ。保管サーバ２０Ａは、コンテンツデータを保持するコンテンツ保持部２２と、携帯端末１０Ａからの要求に応じてコンテンツデータの提供やコンテンツデータの転送をプログラムで処理する保管制御部２１を持つ。
【００３９】
記憶サーバ３０は、利用者に対して使用可能な記憶域を提供する機能を持ち、図示しないがＣＰＵや記憶手段や通信手段を持ちプログラムを実行したりネットワーク４９を介して他の装置と通信できる情報処理装置であり、通常、多くの利用者記憶域３３を備えるために大きな記憶容量を持つ。
【００４０】
記憶サーバ３０は、契約に基づいて利用者に使用許可する利用者記憶域３３を利用者毎に持ち、利用者との契約に関連する契約情報と利用者記憶域３３へのアクセスを制御するためのアクセス管理情報とを含む利用者情報を利用者毎に登録して保持する利用者情報保持部３２と、プログラムにより保管サーバ２０Ａの要求により指定された画像等の情報を格納して保持したり利用者情報保持部３２に対する利用者情報の登録や取消や変更を制御したりする記憶制御部３１を持つ。
【００４１】
利用者情報保持部３２の登録内容の一例を図２を用いて説明する。利用者情報のアクセス管理情報としては、利用者を一意に識別するための利用者識別情報である利用者ＩＤと、利用者記憶域３３に情報を格納する際に検証される格納用パスワードと、利用者記憶域３３から情報を読み出したり削除・変更等の操作をする際に検証される参照用パスワードと、利用者記憶域３３を管理する記憶域管理情報とを含む。記憶域管理情報は、利用者記憶域３３のアドレスとサイズと空き容量等の情報を含み、新たなコンテンツデータ格納の際に参照され格納するのに必要な空き領域があるか等の確認にも利用される。
【００４２】
利用者情報の契約情報は、利用者の氏名や、住所や、契約がいつまで有効かを確認可能とするための契約期間や、決済関連情報のような契約内容等の情報を含む。また、パスワードについては保管サーバ２０Ａが利用する格納用パスワードと利用者が利用する参照用パスワードとに分けるようにしたが、これらを分けずに１つのパスワードとしてもかまわない。
【００４３】
次に、本発明の第１の形態の動作について図面を参照して説明する。図３は本発明の第１の形態の動作手順を示したフローチャートである。この動作に先行して、画像コンテンツデータの保管サーバ２０Ａへの登録と、利用者の記憶サーバ３０の利用に関する契約をしておく必要がある。
【００４４】
画像コンテンツデータの登録方法は特に限定しない。保管サーバ２０Ａのコンテンツ保持部２２へ登録したい画像等のコンテンツデータを登録しておけばよい。また、登録者はコンテンツデータを有料又は無料で利用者に提供することを業とする業者であってもよいし、他人にコンテンツデータを閲覧させたい一般の利用者であってもよく、特に限定しない。また、有料か無料かは本発明の特徴と直接関係しないので有料の場合の課金等の説明は省略する。
【００４５】
利用者の契約方法についても限定しないが、記憶サーバ３０は契約した利用者の利用者ＩＤを生成し、契約に従って利用者のための利用者記憶域３３を確保して記憶域情報を生成し、利用者が指定した格納用パスワードや参照用パスワードと契約情報とともに利用者情報としてまとめて利用者情報保持部３２に登録する。契約により利用者は利用者ＩＤと記憶サーバ３０のアドレス（インターネット上ではＵＲＬ）を受け取って保管する。
【００４６】
以下の説明では、保管サーバ２０Ａのコンテンツ保持部２２に保持されるコンテンツデータはインターネット上に開示されており、携帯端末１０はブラウザのようなホームページアクセスツールを利用してコンテンツデータにアクセスする形態を例として説明する。ただし、保管サーバ２０専用のインターフェースにより各携帯端末１０Ａがアクセスするような形態でもよく限定しない。
【００４７】
図３を参照すると、利用者は携帯端末１０Ａを操作して保管サーバ２０Ａが開示する画像をアクセスする（Ｓ６１）。保管サーバ２０Ａの保管制御部２１は、要求を受信すると指定された画像をコンテンツ保持部２２から読み出して画像指定情報とともに携帯端末１０Ａに返送する（Ｓ６２）。保管制御部２１Ａは要求元の携帯端末１０Ａの表示部１２の解像度がわかる場合その解像度に応じて画質を落とした画像を返送してもよい。ただし以降の説明では保管サーバ２０Ａは元のままの画像を返送するものとする。
【００４８】
携帯端末１０Ａの携帯制御部１１Ａは画像を受信すると記憶部１３に受信した画像を格納し、格納した画像の画質を表示部１２の解像度に合わせて調整し表示する（Ｓ６３）。この際の調整では画質を低下するように処理される。或いは、そのままの画質で記憶部１３に格納された画像の一部分を表示してもよい。利用者は表示された画像を見て、元の画像を画質を落とさずに見たいと思ったり高画質のまま保存したいと思った場合は、画像を契約済の記憶サーバ３０へ転送するように携帯端末１０Ａを操作する。
【００４９】
転送実行の操作は、図示しないが、利用者が画像を制御画面に切り換えて画面に従って操作し、その制御画面は転送要求のような指示を選択できて、さらに転送を選択した場合は転送先の記憶サーバ３０のアドレスと利用者ＩＤと格納用パスワードの入力を促すように作られ、最後に転送の実行を指示できるようになっていればよい。記憶サーバ３０のアドレスは例えば“kiokuserver.gyousha.co.jp”のようなＵＲＬで指定してもよいし、“12.34.56.78 ”のように直接ＩＰアドレスで指定してもよいが、一般的に長くて覚えにくいという特性がある。
【００５０】
携帯制御部１１Ａは利用者の転送実行の操作により、利用者から入力された利用者ＩＤと格納用パスワードを含む利用者指定情報と、転送先の記憶サーバ３０のＵＲＬである転送先情報と現在表示中で転送対象となる画像を指定する画像指定情報を伴った転送要求を保管サーバ２０Ａへ送る（Ｓ６４）。画像指定情報は保管サーバ２０Ａから画像とともに送られたものを返送するようにすればよい。
【００５１】
保管制御部２１は受信した画像指定情報に基づいてコンテンツ保持部２２から画像を読み出し、これに受信した利用者指定情報を付加して、受信した転送先情報で示される記憶サーバ３０へ格納要求として転送する（Ｓ６５）。転送する画像は元のままの画質の画像であり、保管サーバ２０Ａが携帯端末１０Ａの表示部１２の解像度に合わせて携帯端末１０に画像を送信する場合でも同様に元のままの高画質な画像を転送する。
【００５２】
記憶サーバ３０の記憶制御部３１は、格納要求を受け取ると、受信した利用者指定情報と空き領域を検証する（Ｓ６６）。すなわち記憶制御部３１は、利用者情報保持部３２を参照して受信した利用者ＩＤに対応する格納用パスワードを読み出し、受信した利用者指定情報に含まれる格納用パスワードと比較し、一致していれば格納許可と判断する。さらに記憶制御部３１は、利用者情報保持部３２を参照して受信した画像のデータサイズと該当する利用者記憶域３３の空き容量を比較し、空き容量の方が大きければ格納可能と判断する。これらの判断結果を検証結果として要求元の保管サーバ２０Ａに返送する（Ｓ６７）。
【００５３】
記憶制御部３１は、格納許可且つ格納可能であれば該当する利用者記憶域３３に受信した画像を格納し、格納許可でないか又は格納可能でなければ受信した画像の格納は実行しない（Ｓ６８）。
【００５４】
保管サーバ２０Ａは、記憶サーバ３０から検証結果を受信すると、要求元の携帯端末１０Ａに検証結果を返送する（Ｓ６９）。携帯端末１０Ａは検証結果を受信すると、それを表示部１２の画面上に表示する（Ｓ７０）。例えば、格納許可で格納可能であれば“正常に格納されました”というメッセージを表示し、格納許可でなければ“格納が拒否されました、ＩＤ又はパスワードを確認してください”というメッセージを表示し、格納可能でなければ“容量不足で格納できませんでした”というメッセージを表示する。これにより利用者は転送に成功したか知ることができ、さらに不成功の場合、次に実行すべき手順を知ることができる。
【００５５】
例えば、格納許可されなかった場合、利用者は記憶サーバ３０のアドレス、利用者ＩＤ、格納パスワードが正しいか確認し、ステップＳ６４の実行を指示する操作から繰り返せばよい。格納可能でない場合利用者は、詳細な説明は省略するが、携帯端末１０Ａ又は利用者端末４０から記憶サーバ３０に利用者ＩＤと参照パスワードでアクセスして利用者記憶域３３に格納された画像から不要な画像を削除するか又は利用者端末４０へダウンロードして引き取って必要な空き容量を確保した後、ステップＳ６４の実行を指示する操作から繰り返せばよい。
【００５６】
正常に画像が記憶サーバ３０の利用者記憶域３３に格納された場合、利用者は利用者端末４０を操作して利用者ＩＤと参照パスワードとでアクセスし、利用者記憶域３３から画像をダウンロードし図示しないが利用者端末４０の高解像度の表示画面に表示して閲覧することができる。利用者記憶域３３の空き容量が小さくなった場合、利用者は閲覧後又はダウンロードと同時に利用者記憶域３３から画像を削除することにより、利用者記憶域３３の空き容量を確保できる。
【００５７】
このように、利用者は解像度の小さい表示部１２しか持たない携帯端末１０Ａで気に入った画像を見つけた場合、携帯端末１０を操作することにより契約先の記憶サーバ３０に気に入った画像を格納して保管しておくことができる。これにより、利用者は後でその画像を取り出して高画質の表示手段で閲覧することができるとともに、気に入った画像がインターネット上から削除されてしまい、後で高画質の利用者端末４０からアクセスしても画像が入手できないという機会喪失を回避することができる。
【００５８】
次に、本発明の第２の形態について図面を参照して説明する。第２の形態は、第１の形態のステップＳ６４の転送の実行を指示する操作で利用者が転送先の記憶サーバ３０のＵＲＬと利用者ＩＤと格納用パスワードを入力する操作の負担を軽減するためにアドレス保持部１４を追加した点に特徴がある。
【００５９】
図４は第２の形態の構成を示したブロック図である。図４の構成は図１の構成と以下の点が異なるが、他の構成は同じであるので説明は省略する。携帯端末１０Ｂは図１の携帯端末１０Ａにアドレス保持部１４を追加している。携帯制御部１１Ｂは図１の携帯制御部１１Ａに利用者による転送の実行操作の際にアドレス保持部１４に保持された情報を利用者指定情報と転送先情報として転送要求に自動的に付加する機能を追加している。
【００６０】
アドレス保持部１４は転送先の記憶サーバ３０のＵＲＬと利用者ＩＤと格納用パスワードを保持するために記憶手段に設けられた記憶領域である。契約する記憶サーバ３０が複数ある場合は、記憶サーバ３０毎に登録でき、転送実行操作の際に選択できるようにすればよい。
【００６１】
第２の形態の動作について説明する。第２の形態の動作は、第１の形態の動作の転送の実行を指示する操作が異なるのでこの操作について説明する。他の動作は第１の形態の動作と同じであるのでステップＳ６４を除いて図３のフローチャートと同様であり説明は省略する。
【００６２】
携帯制御部１１Ｂは、ステップＳ６４の実行前に、利用者がステップＳ６４の転送の実行操作をする際に利用者の選択操作に従ってアドレス保持部１４から転送先の記憶サーバ３０のＵＲＬと利用者ＩＤと格納用パスワードを読み出して自動的に利用者の入力操作を代行するステップを実行する。これにより利用者は転送の実行操作毎に転送先の記憶サーバ３０のＵＲＬと利用者ＩＤと格納用パスワードを入力する手間が省ける。
【００６３】
次に、本発明の第３の形態について図面を参照して説明する。第３の形態は、第１の携帯に対して保管サーバ２０が記憶サーバ３０へ格納要求として画像を転送する際に付加する利用者指定情報と転送先情報とを含む転送制御情報を保管サーバ２０に保持しておき、利用者が利用者指定情報と転送先情報を入力する手間を省くことを特徴とする。
【００６４】
図５は、本発明の第３の形態の構成を示したブロック図である。保管サーバ２０Ｃは図１の保管サーバ２０Ａに対して転送制御情報保持部２３が追加されている。携帯制御部１１Ｃと保管制御部２１Ｃは図１の携帯制御部１１Ａと保管制御部２１Ａに対して機能が追加・変更されている。その他の構成は図１の構成と同じであるので説明は省略する。
【００６５】
転送制御情報保持部２３は、転送制御情報を該当するログインＩＤとログイン用パスワードとをセットにして利用者毎に登録して保持する記憶手段に設けられた記憶領域である。図６は転送制御情報保持部２３の各利用者の登録内容の一例を示した図であり、利用者ＩＤとログイン用パスワードと格納用パスワードと転送先情報（転送先の記憶サーバ３０のアドレス）を含んでいる。転送先情報は転送の際の転送先アドレスとして使用され、利用者指定情報は転送する画像に付与して転送され、ログインＩＤとログイン用パスワードは携帯端末１０Ｃからのログインの際の検証に使用される。
【００６６】
携帯制御部１１Ｃは、図３の携帯制御部１１Ａの転送要求のステップＳ６４に代えて、保管サーバ２０Ｃへログイン要求するステップとしている。保管制御部２１Ｃは、携帯端末１０Ｃからのログイン要求を検証するステップ（図７のＳ７５）が追加され、図３の保管制御部２１ＡのステップＳ６５に代えて転送制御情報保持部２３を参照してログイン要求を処理するステップ（図７のＳ７６）に変更している。詳細な処理内容は下記の動作の説明で説明する。
【００６７】
次に本発明の第３の形態の動作について、図７のフローチャートを用いて説明する。まず、図７のフローチャートの動作に先行して、利用者は保管サーバ２０Ｃの管理者又は業者と契約して転送制御情報保持部２３に転送制御情報を登録しておく必要がある。契約により、利用者はログインＩＤを入手し登録したログイン用パスワードとともに保管しておく。
【００６８】
図７を参照すると、図３と同様に携帯制御部１１Ｃは利用者の操作に従って画像をアクセスし（Ｓ７１）、保管制御部２１Ｂは指定された画像を画像指定情報とともに返送する（Ｓ７２）。携帯制御部１１Ｃは画像の画質を落として表示する（Ｓ７３）。
【００６９】
ここで利用者は高画質の画像を転送したい場合は携帯制御部１１Ｃにログイン画面を表示するように操作し、操作によって携帯制御部１１Ｃは、ログインＩＤとパスワードを入力するための画面を表示し、利用者からログインＩＤとパスワードが入力されると画像指定情報とともにログイン要求として該当する保管サーバ２０Ｃに送る（Ｓ７４）。このログイン要求は転送要求として扱われるものとする。
【００７０】
保管制御部２１Ｂは、ログイン要求を受け取ると受信したログインＩＤにより転送制御情報保持部２３から該当するログイン用パスワードを読み出して受信したパスワードと照合し、一致すればログイン成功として次に進む（Ｓ７５）。照合の結果が不一致ならば、図示しないがログインに失敗したことを返送する。
【００７１】
ログインに成功すると、保管制御部２１ＢはログインＩＤにより転送制御情報保持部２３から転送先情報と利用者指定情報を読み出し、画像指定情報によりコンテンツ保持部２２から読み出した画像と読み出した利用者情報を付加して読み出した転送先の記憶サーバ３０へ格納要求として転送する（Ｓ７６）。なお、上記説明ではログイン要求が転送要求として扱われるものとしたが、ログイン要求が転送要求以外の要求も選択可能な場合は、ログインの検証後に保管制御部２１Ｂは携帯端末１０Ｃに要求選択画面を送り、どのような要求かを指定するようにして、そこで利用者に転送要求を選択入力してもらう手順とすればよい。
【００７２】
記憶サーバ３０が格納要求を受信して以降の処理であるステップＳ７７〜Ｓ８１は、それぞれ第１の形態のステップＳ６６〜Ｓ７０と同じ動作をするので説明は省略する。第２の形態でもステップＳ８１までを実行することにより第１の形態と同様に高詳細な画像を記憶サーバ３０に保管することができる。
【００７３】
このように第３の形態でも第１の形態と同様に高詳細な画像を記憶サーバ３０に保管することができるので、利用者は後で利用者端末４０からアクセスして高詳細な画像を閲覧することができる。また、利用者は転送先の記憶サーバ３０のＵＲＬと利用者ＩＤと格納用パスワードとを入力するという煩わしい操作をログインＩＤとログイン用パスワードの入力という比較的容易な操作に代えることができる。
【００７４】
また、第３の形態では保管サーバ２０による画像の転送サービスに対して予め契約をすることにより、画像等のコンテンツデータの提供を有料化することが容易にできる。すなわち、保管サーバ２０による画像の有料提供サービスを行うシステムに対しては導入が容易である。上記の手順では転送を要求する際にログイン要求をするようにしたが、画像の提供も有料化する場合にはステップＳ７１の前にログイン要求しログインの検証を実行するステップを設ければよい。なお、有料化の場合は代金の支払い等を処理する手順が必要となるが、すでにこのような決済方法は知られており、また本発明では必須ではないので説明は省略する。
【００７５】
以上の説明では、ログインＩＤと利用者ＩＤとを別々に設けたが、保管サーバ２０の管理者と記憶サーバ３０の管理者と利用者との３者間で契約することにより、ログインＩＤと利用者ＩＤとを共通にすることもできる。また、ログイン用パスワードと格納用パスワードを共通にすることもできる。
【００７６】
次に、本発明の第４の形態について図面を参照して説明する。第４の形態は保管サーバ２０Ｄにて画像を電子メールに組み込んで電子メールで配信するようにしたことを特徴とする。
【００７７】
図８は、本発明の第４の形態の構成を示したブロック図である。保管サーバ２０Ｄは図１の保管サーバ２０Ａに対して、メール処理部２４とメール制御情報保持部２５が追加される。保管制御部２１Ｄと携帯制御部１１Ｄはそれぞれ保管制御部２１Ａと携帯制御部１１Ａと異なる処理を実行し、詳細な処理内容は動作の説明で記載する。また、記憶サーバ３０は必要としないので図８では省略している。その他の構成は図１の構成と同じであるので説明は省略する。なお、説明のためにネットワーク４９上にあるメールサーバのうちメール送信先の利用者端末４０が利用するメールサーバのみをメールサーバ４５として図８に表示している。
【００７８】
メール処理部２４は、保管サーバ２０Ｄで動作するプログラムで実現され、利用者に指定された画像を電子メールに組み込んで指定された送信先に送信する。メール制御情報保持部２５は、利用者と保管サーバ２０Ｄの管理者又は業者との間の契約によって決められたログインＩＤとパスワードと送信先メールアドレスとを利用者毎に記憶する記憶手段の記憶領域である。なお、送信先のメールアドレスはメール制御情報保持部２５に登録されていなくてもよいし複数登録するようにしてもよいが、登録されない場合は携帯端末１０Ｄから要求の際に送る必要がある。
【００７９】
次に本発明の第４の形態の動作について、図９のフローチャートを用いて説明する。まず、図９のフローチャートの動作に先行して、利用者は保管サーバ２０Ｄの管理者と契約してメール制御情報保持部２５にすでに説明した所定の情報を登録しておき、ログインＩＤとパスワードを保管しておく。
【００８０】
図９を参照すると、携帯制御部１１Ｄは利用者の操作に従って保管サーバ２０Ｄにある画像をアクセスし（Ｓ９１）、保管制御部２１Ｃは指定された画像を画像指定情報とともに返送する（Ｓ９２）。携帯制御部１１Ｄは受信した画像を低画質にして表示する（Ｓ９３）。
【００８１】
ここで利用者は高画質の画像を電子メールで転送したい場合、携帯制御部１１Ｄにメール転送用の制御画面を表示するように操作する。この操作によって携帯制御部１１Ｄは、ログインＩＤとパスワードとメール送信先を入力するための画面を表示し、利用者からログインＩＤとパスワードとメール送信先が入力されると画像指定情報とともにメール送信要求として該当する保管サーバ２０Ｄに送る（Ｓ９４）。
【００８２】
メール送信先の入力は、メール制御情報保持部２５に送信先メールアドレスが登録されている場合はそれを選択する情報を入力し、登録がされていない場合は送信先メールアドレスを入力すればよい。また、送信先メールアドレスは利用者が受信可能なメールアドレスであり、利用者端末４０で受信できるものとする。
【００８３】
保管制御部２１Ｄは、メール送信要求を受け取ると受信したログインＩＤによりメール制御情報保持部２５から該当する利用者のパスワードを読み出して受信したパスワードと照合して利用者を検証し、一致（検証成功）すれば次に進む（Ｓ９５）。照合の結果が不一致（検証不成功）ならば、図示しないが照合に失敗したことを返送する。
【００８４】
検証に成功すると、保管制御部２１Ｄは入力情報に従ってログインＩＤでメール制御情報保持部２５から読み出した送信先メールアドレスか又は入力された送信先メールアドレスの少なくとも一方から送信先メールアドレスを取得し、指定された画像情報と取得した送信先メールアドレスを伴ってメール処理部２４に対して電子メールの生成と送信を指示する（Ｓ９６）。
【００８５】
メール処理部２４は保管制御部２１Ｄから指示を受け取ると、指定された画像情報を電子メールに組み込み受け取った送信先メールアドレスを送信先アドレスとした電子メールを生成してネットワーク４９へ送信する（Ｓ９７）。
【００８６】
送信された電子メールは図示しないがネットワーク４９に含まれるルータ装置等を介して宛先のメールサーバ４５へ送られ、図示しないがメールサーバ４５内のメールボックスへ格納される。利用者は、後で利用者端末４０を操作して電子メールをメールサーバ４５のメールボックスから引き取り、電子メールに組み込まれた画像を取りだして解像度の高い利用者端末４０の表示画面へ表示して見ることができる。
【００８７】
このように、第４の形態においても携帯端末１０Ｄで画像を閲覧している時に保管サーバ２０Ｄに画像を電子メールで転送するよう操作することができるので、第１の形態と同様に利用者は後でその画像を取り出して高画質の表示手段で閲覧することができるとともに、気に入った画像がインターネット上から削除されてしまい、後で高画質の利用者端末４０からアクセスしても画像が入手できないという機会喪失を回避することができる。
【００８８】
以上の説明ではコンテンツデータとして画像データを例に説明したが、動画像や映像等のコンテンツデータも同様に高画質で入手することができるので、携帯端末１０に比べて高性能の再生手段を持つ利用者端末４０等で高品質にて再生することが可能である。また、音楽等の音声データも元の高品質のデータを入手することにより、携帯端末１０に比べて高音質・高出力の再生手段を持つ利用者端末４０等で高品質でより迫力のある音を再生することが可能となる。
【図面の簡単な説明】
【００８９】
【図１】本発明の第１の形態の構成を示したブロック図である。
【図２】本発明の第１の形態の利用者情報保持部３２の登録情報の一例を示した図である。
【図３】本発明の第１の形態の動作を示したフローチャートである。
【図４】本発明の第２の形態の構成を示したブロック図である。
【図５】本発明の第３の形態の構成を示したブロック図である。
【図６】本発明の第３の形態の転送制御情報保持部２３の登録情報の一例を示した図である。
【図７】本発明の第３の形態の動作を示したフローチャートである。
【図８】本発明の第４の形態の構成を示したブロック図である。
【図９】本発明の第４の形態の動作を示したフローチャートである。
【符号の説明】
【００９０】
１０    携帯端末
１１    携帯制御部
１２    表示部
１３    記憶部
２０    保管サーバ
２１    保管制御部
２２    コンテンツ保持部
２３    転送制御情報保持部
２４    メール処理部
２５    メール制御情報保持部
３０    記憶サーバ
３１    記憶制御部
３２    利用者情報保持部
３３    利用者記憶域
４０    利用者端末
４９    ネットワーク
【図１】
2005275675.tif 000003
【図２】
2005275675.tif 000004
【図３】
2005275675.tif 000005
【図４】
2005275675.tif 000006
【図５】
2005275675.tif 000007
【図６】
2005275675.tif 000008
【図７】
2005275675.tif 000009
【図８】
2005275675.tif 000010
【図９】
2005275675.tif 000011